(57)【要約】【課題】温水洗浄便座において、イジェクタによる空気混入で洗浄感を高めるとともに、使用者の好みに応じて洗浄感を変更することができるようにすることを目的とする。【解決手段】先端に噴出孔１２を有し人体の局部に洗浄水を噴出するノズル装置１１と、イジェクタノズル１６と、そのジェット噴流により空気を混入する空気混入部１８と、空気混入部１８と大気を連通させる空気孔１７と、イジェクタノズル１６とほぼ同心で噴出孔１２に連通する導入部２１と、ノズル装置１１を振動させることで空気孔１７を断続開閉する振動子１９とを設け、振動の有無によって、イジェクタ効果により混入させる空気量を可変することができる。【選択図】図１
2005133477.tif 000002
【特許請求の範囲】
【請求項１】
先端に噴出孔を有し人体の局部に洗浄水を噴出するノズル装置と、前記ノズル装置に設けられたイジェクタノズルと、前記イジェクタノズルからのジェット噴流により空気を混入する空気混入部と、前記空気混入部と大気を連通させる空気孔と、前記イジェクタノズルとほぼ同心で前記噴出孔に連通する導入部と、前記ノズル装置を振動させる振動手段と、前記振動手段の動作により生じる振動によって前記空気孔を断続開閉する振動子とを備えた温水洗浄便座。
【請求項２】
振動子は、空気混入部の内部に設けられ、空気孔の内口を開閉してなる請求項１に記載の温水洗浄便座。
【請求項３】
振動子は、イジェクタノズルからのジェット噴流を貫通する貫通孔を有する請求項２に記載の温水洗浄便座。
【請求項４】
振動子は、コの字断面形状を有し、前記コの字断面形状の凹部をジェット噴流が通過するようにしてなる請求項２に記載の温水洗浄便座。
【請求項５】
振動手段は、ノズル装置を突出収納させる駆動手段である請求項１に記載の温水洗浄便座。
【発明の詳細な説明】
【技術分野】
【０００１】
本発明は、人体局部の洗浄を快適におこなうことができる温水洗浄便座に関するものである。
【背景技術】
【０００２】
従来、この種の温水洗浄便座としては、イジェクタ式ノズルによりイジェクタ効果を利用して洗浄水中に空気を混入し、洗浄感を高めているものがあった（例えば特許文献１参照）。
【特許文献１】特開平１１−３５０５６７号公報
【発明の開示】
【発明が解決しようとする課題】
【０００３】
しかしながら、前記従来の構成では、空気混入された洗浄水しか噴出することができず、使用者の好みに応じて洗浄感を変更することができないという課題を有していた。
【０００４】
本発明は、前記従来の課題を解決するもので、イジェクタによる空気混入でありながら洗浄水中に混入する空気量を可変させ、使用者の好みに応じて洗浄感を変更することができる温水洗浄便座の提供を目的とする。
【課題を解決するための手段】
【０００５】
前記従来の課題を解決するために、本発明の温水洗浄便座は、ノズル装置を振動させる振動手段と、その振動手段の動作により生じる振動によって空気混入部の空気孔を断続開閉する振動子を設けたものである。
【０００６】
これにより、振動手段の動作の有無によって、イジェクタ効果により混入させる空気量を可変することができ、簡単な構成で使用者の好みに応じた洗浄水流を実現できるものである。
【発明の効果】
【０００７】
本発明の温水洗浄便座は、振動手段の動作の有無によって、イジェクタ効果により混入させる空気量を可変することができ、簡単な構成で使用者の好みに応じた洗浄水流を実現できるものである。
【発明を実施するための最良の形態】
【０００８】
第１の発明は、先端に噴出孔を有し人体の局部に洗浄水を噴出するノズル装置と、前記ノズル装置に設けられたイジェクタノズルと、前記イジェクタノズルからのジェット噴流により空気を混入する空気混入部と、前記空気混入部と大気を連通させる空気孔と、前記イジェクタノズルとほぼ同心で前記噴出孔に連通する導入部と、前記ノズル装置を振動させる振動手段と、前記振動手段の動作により生じる振動によって前記空気孔を断続開閉する振動子とを備えた温水洗浄便座とすることにより、振動手段の動作の有無によって、イジェクタ効果により混入させる空気量を可変することができ、簡単な構成で使用者の好みに応じた洗浄水流を実現できるものである。
【０００９】
第２の発明は、特に、第１の発明における振動子は、空気混入部の内部に設けられ、空気孔の内口を開閉してなることにより、摺動部に汚れがつくことが少なく、洗浄可変を安定して行なうことができる。
【００１０】
第３の発明は、特に、第２の発明における振動子は、イジェクタノズルからのジェット噴流を貫通する貫通孔を有することにより、空気混入部内の振動子の重量が充分にとれ、振動子を空気混入部内で安定して振動させることができるものである。
【００１１】
第４の発明は、特に、第２の発明における振動子は、コの字断面形状を有し、前記コの字断面形状の凹部をジェット噴流が通過するようにしてなることにより、ジェット噴流が通過する空間が大きくなり、振動子に触れることなくジェット噴流が通過するので、安定して振動子を振動させることができる。
【００１２】
第５の発明は、特に、第１の発明における振動手段は、ノズル装置を突出収納させる駆動手段であることにより、振動子を振動させるための特別な振動手段を設ける必要がなく、かつ、ノズル装置の収納位置から突出位置に至る任意の位置で振動子を振動させることができる。
【００１３】
以下、本発明の実施の形態について、図面を参照しながら説明する。なお、この実施の形態によって本発明が限定されるものではない。
【００１４】
（実施の形態１）
図１〜図３は、本発明の実施の形態１における温水洗浄便座のノズル部を示すものである。
【００１５】
図１に示すように、ノズル装置１１はその先端に噴出穴１２を有し人体の局部に洗浄水を噴出する構成となっている。ノズル装置１１の後端には洗浄流量を調節する流量調節弁１３とその駆動を行なう弁モータ１４が設けられ、給水部（図示せず）からの水をノズル装置１１の内部流路１５に導いている。
【００１６】
内部流路１５の先端にはイジェクタノズル１６が構成され、下面に空気孔１７をもつ空気混入部１８がそのイジェクタノズル１６の開放端に設けられている。空気混入部１８の内部には振動子１９があり、振動子１９に設けられた貫通穴２０を通してイジェクタノズル１６からのジェット噴流（図示せず）がほぼ同心に構成された導入部２１に達し、噴出孔１２に連通する構成となっている。
【００１７】
また、ノズル装置１１は、マウント２２の傾斜溝２３に挿入され、その下面に設けられたラックギア２４が駆動モータ２５及ピニオンギア２６と噛合うことにより傾斜溝２３に沿って軸方向に駆動できるように構成されている。つまり、マウント２２の傾斜溝２３と、ラックギア２４、駆動モータ２５及ピニオンギア２６により、ノズル装置１１を突出収納させる駆動手段を構成しており、これによりノズル装置１１の噴出孔１２を待機位置から洗浄位置まで突出収納駆動させることができる。
【００１８】
さらに、駆動モータ２５を小刻みに正転・逆転を繰り返すように駆動させることにより、この駆動手段は、待機位置から洗浄位置までの任意の位置でノズル装置１１を軸方向に振動させる振動手段を構成している。この振動手段の動作に伴って、振動子１９を空気混入部１８の内部で振動させることができる。
【００１９】
図２に示すように、振動子１９には、その外周と貫通孔２０を連通する第２の空気孔２７が設けられており、振動子１９が空気混入部１８の前方に位置している状態（図２ａ）のとき、第２の空気孔２７と空気孔１７の内口２８が連通し、振動子１９が空気混入部１８の後方に位置して１る状態（図２ｂ）のとき、第２の空気孔２７は空気孔１７の内口２８から外れ、内口２８を振動子１９が閉塞する。
【００２０】
この構成において、振動手段が動作していないとき、振動子１９は重力により空気混入部１８の前方に位置し、イジェクタノズル１６からのジェット噴流（図示せず）の巻き込み作用により連通している空気孔１７から連続して空気が混入される。一方、振動手段が動作しているとき、振動子１９が空気混入部１８の中で前方位置（図２ａ）と後方位置（図２ｂ）間を振動することにより空気孔１７が断続開閉され、空気混入部１８へは断続的に空気が混入される。
【００２１】
以上のように構成された温水洗浄便座において、振動手段の動作の有無により空気混入量が異なり、洗浄感を可変することができる。また、ノズル装置１１の振動に伴って噴出孔１２も振動し、噴出水流自体もその軌跡を揺動させることにより、洗浄感を大きく可変することができる。
【００２２】
なお、本実施の形態において、振動手段が動作していないとき連続して空気が混入される構成としたが、空気孔１７と第２の空気孔２７の位置関係を調整することにより振動手段が動作していないとき空気が混入されず、振動動作時に断続混入される構成でも洗浄感を可変するという同様の効果を奏するものである。
【００２３】
図３に示すように、空気混入部１８及び振動子１９は円形断面を有しており摺動摩擦が少なく、振動子１９の中心にイジェクタノズル１６からのジェット噴流を貫通する貫通孔２０を設けたことにより、振動子１９の重量が充分にとれ、ノズル装置１１の軸方向振動のより振動子１９を空気混入部１８内で安定して振動させることができる。
【００２４】
また、振動子１９を空気混入部１８の内部に設け、空気孔１７の内口２８を開閉する構成とすることにより、摺動面に汚れがつくことが少なく、耐久的にも安定して洗浄可変を行なうことができる。
【００２５】
（実施の形態２）
図４は、本発明の実施の形態２における温水洗浄便座の空気混入部を示すものである。
【００２６】
本実施の形態では、空気混入部１８を矩形断面とするとともに振動子１９をコの字断面形状にし、そのコの字の凹部２９をイジェクタノズル１６からのジェット噴流（図示せず）が通過するように構成している。
【００２７】
これにより、ジェット噴流が通過する空間が大きくなり、ジェット噴流が振動子１９に触れることなく凹部２９を通過するので、振動子１９の振動を安定させることができる。また、コの字断面形状であるため回転止めを構成する必要がなく、組み立てが容易であるという効果がある。
【産業上の利用可能性】
【００２８】
以上のように、本発明にかかる温水洗浄便座は、振動手段の動作の有無によって、イジェクタ効果により混入させる空気量を可変することができ、簡単な構成で使用者の好みに応じた洗浄水流を実現できるものであり、各種の衛生洗浄装置として適用できる。
【図面の簡単な説明】
【００２９】
【図１】本発明の実施の形態１における温水洗浄便座のノズル部を示す側断面図
【図２】（ａ）（ｂ）同温水洗浄便座の振動子を示す要部断面図
【図３】同温水洗浄便座の空気混入部を示す図２（ａ）Ａ―Ａ線による断面図
【図４】本発明の実施の形態２における温水洗浄便座の空気混入部を示す断面図
【符号の説明】
【００３０】
１１  ノズル装置
１２  噴出孔
１６  イジェクタノズル
１７  空気孔
１８  空気混入部
１９  振動子
２０  貫通孔
２１  導入部
２２  マウント
２３  傾斜溝
２４  ラックギア（駆動手段）
２５  駆動モータ（振動手段）
２６  ピニオンギア
２７  第２の空気孔
２８  内口
２９  凹部
【図１】
2005133477.tif 000003
【図２】
2005133477.tif 000004
【図３】
2005133477.tif 000005
【図４】
2005133477.tif 000006